(57)【要約】【課題】より意匠性を向上させることができると共に、簡易な構成で、排水性能を向上できる屋根構造体を提供すること。【解決手段】屋根構造体１は、柱材２と、柱材２に接続される梁３と、梁３に直接的に又は間接的に接続される屋根体４であって、所定方向に並んで連設される複数の長尺材４１を有する屋根体４と、を備え、屋根体４は、下面４ｂが平面状に形成され、上面４ａの少なくとも一部に凹状の樋構造４０を有する。屋根体４の上面４ａには、梁３に直接的に又は間接的に接続される部分４２７，４３７が設けられ、屋根体４は、梁３の下方において梁３に直接的に又は間接的に吊られて配置されていてもよい。【選択図】図１
2019090170.tif 000002
【特許請求の範囲】
【請求項１】
柱材と、
前記柱材に接続される梁と、
前記梁に直接的に又は間接的に接続される屋根体であって、所定方向に並んで連設される複数の長尺材を有する屋根体と、を備え、
前記屋根体は、下面が平面状に形成され、上面の少なくとも一部に凹状の樋構造を有する屋根構造体。
【請求項２】
前記屋根体は、少なくとも一部に、前記樋構造を有する長尺材を複数含んで構成される請求項１に記載の屋根構造体。
【請求項３】
前記屋根体は、少なくとも一部に、前記樋構造と中空部が形成されたホロー構造とを有する長尺材を複数含んで構成される請求項２に記載の屋根構造体。
【請求項４】
前記屋根体の上面には、前記梁に直接的に又は間接的に接続される部分が設けられ、
前記屋根体は、前記梁の下方において前記梁に直接的に又は間接的に吊られて配置される請求項１から３のいずれかに記載の屋根構造体。
【請求項５】
前記屋根体の上面は、前記梁に直接的に接続される請求項４に記載の屋根構造体。
【請求項６】
前記屋根体は、前記長尺材の長手方向の一方側から他方側に向かうに従って下るように傾斜する請求項１から５のいずれかに記載の屋根構造体。
【請求項７】
前記長尺材は、アルミ材料の形材で形成され、少なくとも一部に中空部を有するホロー構造を備える請求項１から６のいずれかに記載の屋根構造体。
【発明の詳細な説明】
【技術分野】
【０００１】
柱材と梁と屋根体とを備える屋根構造体に関する。
【背景技術】
【０００２】
従来、柱材と、柱材に接続される梁と、梁に接続される屋根体と、を備えるカーポート（屋根構造体）が知られている（例えば、特許文献１参照）。特許文献１に記載のカーポートの屋根体は、枠組みされたフレームと、フレームの内側に配置されたパネル材と、により構成されている。特許文献１に記載のカーポートは、梁と屋根体との間に吊り具を介在させて屋根体を吊る吊り下げ構造である。
【先行技術文献】
【特許文献】
【０００３】
【特許文献１】特開２０１３−２１３３２０号公報
【発明の概要】
【発明が解決しようとする課題】
【０００４】
特許文献１に記載のカーポートの屋根体は、フレームとパネル材とで構成しているため、フレーム及びパネル材の凹凸が、外部から視認される状態である。そのため、意匠性を向上させることが望まれる。また、特許文献１に記載のカーポートは、梁と屋根体との間に吊り具を介在させて屋根体を吊る吊り下げ構造であるため、下方から見た場合に梁が大きく上方側に突出してしまうため、屋根構造をコンパクトにして、意匠性を向上させることが望まれる。
また、カーポートなどの屋根構造体においては、屋根体に傾斜を設けて、屋根体の上面を流れる雨水を誘導する場合がある。このような場合に、屋根構造体の排水性能を向上させることが求められる。
【０００５】
本発明は、より意匠性を向上させることができると共に、簡易な構成で、排水性能を向上できる屋根構造体を提供することを目的とする。
【課題を解決するための手段】
【０００６】
本発明は、柱材（例えば、後述の支柱２）と、前記柱材に接続される梁（例えば、後述の梁３）と、前記梁に直接的に又は間接的に接続される屋根体（例えば、後述の屋根体４）であって、所定方向に並んで連設される複数の長尺材（例えば、後述の長尺材４１）を有する屋根体と、を備え、前記屋根体は、下面（例えば、後述の下面４ｂ）が平面状に形成され、上面（例えば、後述の上面４ａ）の少なくとも一部に凹状の樋構造（例えば、後述の屋根体側樋構造４０）を有する屋根構造体（例えば、後述のカーポート１）に関する。
【０００７】
また、前記屋根体は、少なくとも一部に、前記樋構造を有する長尺材を複数含んで構成されることが好ましい。
【０００８】
また、前記屋根体は、少なくとも一部に、前記樋構造と中空部が形成されたホロー構造とを有する長尺材を複数含んで構成されることが好ましい。
【０００９】
また、前記屋根体の上面には、前記梁に直接的に又は間接的に接続される部分（例えば、後述の一方側上部内方延出片４２３、他方側上部内方延出片４４３、他方側上部外方延出片４２７，４３７）が設けられ、前記屋根体は、前記梁の下方において前記梁に直接的に又は間接的に吊られて配置されることが好ましい。
【００１０】
また、前記屋根体の上面は、前記梁に直接的に接続されることが好ましい。
【００１１】
また、前記屋根体は、前記長尺材の長手方向の一方側から他方側に向かうに従って下るように傾斜することが好ましい。
【００１２】
また、前記長尺材は、アルミ材料の形材で形成され、少なくとも一部に中空部を有するホロー構造を備えることが好ましい。
【発明の効果】
【００１３】
本発明によれば、より意匠性を向上させることができると共に、簡易な構成で、排水性能を向上できる屋根構造体を提供することができる。
【図面の簡単な説明】
【００１４】
【図１】本発明の一実施形態に係るカーポートを上方側から見た斜視図である。
【図２】本発明の一実施形態に係るカーポートを下方側から見た斜視図である。
【図３】屋根体の前後方向の傾斜を示す図であって、図１におけるＡ−Ａ線断面図である。
【図４】支柱、梁及び屋根体の構成を示す部分拡大斜視図である。
【図５】図１におけるＢ−Ｂ線断面図である。
【図６】屋根体を構成する一端部側樋構成形材の梁への接続構造を示す断面図である。
【図７】屋根体を構成する中間樋構成形材の梁への接続構造を示す断面図である。
【図８】屋根体下流側樋構造及び下方側傾斜樋構造を示す斜視図である。
【図９】図８におけるＣ−Ｃ線断面図である。
【図１０】図８におけるＤ−Ｄ線断面図である。
【発明を実施するための形態】
【００１５】
以下、本発明の屋根構造体の一実施形態について、図面を参照しながら説明する。本実施形態においては、屋根構造体をカーポート１に適用した例について説明する。カーポート１は、屋根体４の下方に、１台又は複数台の自動車の駐車スペースが確保されている。なお、本実施形態においては、屋根構造体をカーポート１に適用した例について説明するが、これに限定されない。また、屋根構造体を、カーポート以外の構造物、例えば、駐輪場、シェルター、休憩所、テラス、バス停などの構造物に適用してもよい。
【００１６】
図１は、本発明の一実施形態に係るカーポート１を上方側から見た斜視図である。図２は、本発明の一実施形態に係るカーポート１を下方側から見た斜視図である。図３は、屋根体４の前後方向の傾斜を示す図であって、図１におけるＡ−Ａ線断面図である。図４は、支柱２、梁３及び屋根体４の構成を示す部分拡大斜視図である。図５は、図１におけるＢ−Ｂ線断面図である。図６は、屋根体４を構成する一端部側樋構成形材４２の梁３への接続構造を示す断面図である。図７は、屋根体４を構成する中間樋構成形材４３の梁への接続構造を示す断面図である。図８は、屋根体下流側樋構造４５及び下方側傾斜樋構造４６を示す斜視図である。図９は、図８におけるＣ−Ｃ線断面図である。図１０は、図８におけるＤ−Ｄ線断面図である。
【００１７】
なお、本実施形態の説明においては、カーポート１の屋根体４を構成する複数の長尺形材（長尺材）４１が延びる方向を前後方向（長尺形材４１の長手方向）ともいう。また、図１において、カーポート１の左手前側を前側ともいい、カーポート１の右奥側を後側ともいう。本実施形態においては、屋根体４が前後方向において傾斜しており、屋根体４の前後方向を傾斜方向ともいい、図１における左前側を下流側ともいい、図１における右後側を上流側ともいう。また、梁３が延びる方向であって、長尺形材（長尺材）４１が延びる前後方向に直交する方向を左右方向（長尺形材４１の長手方向に交差する方向）ともいう。
【００１８】
まず、本実施形態のカーポート１の全体構造について説明する。本実施形態のカーポート１は、図１〜図３に示すように、屋根体４を左右方向の両側それぞれにおいて一対の支柱２で支持する、いわゆる、両支持構造のカーポートである。また、本実施形態のカーポート１は、支柱２に接続された梁３の下部（下方）に、屋根体４が吊られて接続される吊構造で構成される。
【００１９】
図１〜図３に示すように、本実施形態のカーポート１は、地面１１に立設される２組の一対の支柱２（柱材）と、支柱２の上端部から支柱２に交差する方向に延びる２つの梁３と、２つの梁３の下方に配置される屋根体４と、屋根体４の前後方向の前側（傾斜方向の下流側）の端部に配置される屋根体下流側樋構造４５と、屋根体下流側樋構造４５の下部に接続される一対の下方側傾斜樋構造４６と、屋根体上流側端部カバー部材８と、複数の屋根体下流側端部カバー部材９と、を備える。支柱２及び梁３は、アルミ材料の押出し形材で形成され、断面が中空状の中空部を有するホロー構造を有する。
【００２０】
２組の支柱２（柱材）は、図１〜図３に示すように、一対の支柱２が前後方向に２組並んで配置される。一対の支柱２は、カーポート１の左右方向の両側に屋根体４を挟んで対向して配置され、梁３の左右方向の両端部に接続される。
【００２１】
２組の一対の支柱２は、図１に示すように、カーポート１の前後方向に離間して配置される。支柱２は、上下方向に延びて形成される。支柱２は、図１に示すように、横断面が角筒状に形成される中空状の支柱本体部２１と、支柱本体部２１の屋根体４側の側面から屋根体４側に突出すると共に上下方向に延びる一対のカバー取付壁２２と、を有する。一対のカバー取付壁２２には、支柱カバー部材２３が取り付けられる。支柱２の上端部には、支柱２の上端部の開口を覆うように、支柱キャップ２４が配置される。
【００２２】
支柱２と支柱カバー部材２３との間には、図４及び図５に示すように、下方側傾斜樋構造４６（後述）から排出された水が流される。支柱２と支柱カバー部材２３との間には下方側傾斜樋構造４６（後述）から排出された水が流入して水が流れるため、図６に示すように、支柱２及び支柱カバー部材２３は、支柱側樋構成部２０（柱材側樋構造）として構成される。
【００２３】
２つの梁３は、図１に示すように、カーポート１の前後方向に離間して配置される。２つの梁３は、それぞれ、屋根体４の左右方向に延びる。２つの梁３の左右方向の両端部（右側及び左側の端部）は、図５に示すように、Ｌ字状の接続部材２５を介して、支柱２の上端部に接続される。２つの梁３の下部には、屋根体４が接続される。
【００２４】
２つの梁３は、図１及び図４に示すように、それぞれ、断面が角筒状に形成される梁側ホロー部３１と、延出板部３２と、を有する。本実施形態においては、２つの梁３は、屋根体４の前後方向に離間して対向して配置されており、梁３の対向面（梁３の面における対向する別の梁３側の面）側の構成は、同様の構成である。
【００２５】
延出板部３２は、梁側ホロー部３１の下端部から、屋根体４における前後方向の中央側（一対の梁３のうち、当該梁３とは別の梁３側）に向けて延出すると共に、左右方向に延びる板状に形成される。
【００２６】
延出板部３２は、図４及び図５に示すように、左右方向に並んで複数配置されるネジ部材１０１により、延出板部３２において、屋根体４に固定される。
【００２７】
屋根体４は、図１に示すように、屋根体４が２つの梁３の下部に吊られて配置される吊り下げ構造であって、２つの梁３の下部に取り付けられる（接続される）。屋根体４は、複数の長尺形材（長尺材）４１が、梁３が延びる方向に並んで連設されて互いが嵌合して連結されて構成される。
【００２８】
屋根体４の上面４ａは、図３に示すように、屋根体４の前後方向において、例えば、傾斜角度αの角度で、前後方向の前側が下る下り傾斜に形成される（長尺形材４１の長手方向の一方側から他方側に向かうに従って下るように傾斜する）。そのため、屋根体４の上面４ａを流れる水の流れとしては、屋根体４の前後方向の前側が下流側となる。本実施形態においては、例えば、屋根体４の前後方向の傾斜角度αを１°〜２°程度に設定している。また、屋根体４の上面４ａは、左右方向においては、傾斜していない。
【００２９】
複数の長尺形材４１は、図１及び図４に示すように、それぞれ、カーポート１の前後方向（梁３が延びる方向に直交する方向）に延びている。複数の長尺形材４１は、それぞれ、アルミ材料の押出し形材で形成される。複数の長尺形材４１のうちの複数の中間樋構成形材４３は、それぞれ、断面が中空状に形成される中空部を有するホロー構造を備える。
【００３０】
屋根体４は、上面４ａの一部に、長尺形材４１の長手方向に延びる凹状の複数の屋根体側樋構造４０（樋構造）を有する。屋根体４の下面４ｂは、フラット（平面状）に形成される。なお、本実施形態においては、屋根体４の上面４ａは、図５に示すように、後述する一端部側樋構成形材４２の端部側ソリッド状樋構成部４２１の上面と、中間樋構成形材４３の中間ソリッド状樋構成部４３２の上面と、中間樋構成形材４３の中間ホロー部４３１の上面と、他端部側樋構成形材４４の端部側ソリッド状樋構成部４４１の上面と、を含む概念である。
【００３１】
複数の凹状の屋根体側樋構造４０は、屋根体４の上面４ａにおいて、凹状に窪んで形成され、長尺形材４１の長手方向に延びる。凹状の屋根体側樋構造４０は、複数の長尺形材４１の上面それぞれにおいて凹状に窪んで形成される。
屋根体４は、凹状の屋根体側樋構造４０を有する長尺形材４１を複数連結して構成されている。また、複数の中間樋構成形材４３が連結される部分（屋根体４の少なくとも一部）では、屋根体４は、凹状の屋根体側樋構造４０と中空部が形成されたホロー構造とを有する中間樋構成形材４３を複数連結して構成されている。
【００３２】
本実施形態においては、凹状の屋根体側樋構造４０は、複数の長尺形材４１の全ての上面にそれぞれ形成される。複数の凹状の屋根体側樋構造４０は、屋根体４の左右方向に並んで配置される。複数の凹状の屋根体側樋構造４０には、長尺形材４１の長手方向に沿って、屋根体４の上面４ａを流れる水が上流側から下流側（前後方向における後側から前側）に流れる。
【００３３】
なお、屋根体４の下面４ｂの左右方向（長尺形材４１の長手方向に直交する方向）の長さに対する複数の凹状の屋根体側樋構造４０の左右方向の長さの総和である総長さの割合（％）（以下「屋根体側樋構造４０の割合」ともいう）は、屋根体４の構造の全体のバランスに基づいた排水性能などを考慮して、適宜設定される。屋根体側樋構造４０に水を流す場合には、屋根体側樋構造４０の割合（％）は、例えば、２０％程度以上であることが好ましい。また、雨水が流れる場合に雨水とともに汚れ（例えば、落ち葉など）も流れることを考慮すると、長尺形材４１の幅（例えば、１５０ｍｍ）の半分程度以上が屋根体側樋構造４０になっていることが好ましく、屋根体側樋構造４０の割合（％）は、例えば、５０％程度以上であることが好ましい。
【００３４】
本実施形態では、屋根体４の上面４ａには、複数の凹状の屋根体側樋構造４０が形成される。そのため、複数の凹状の屋根体側樋構造４０の底面は、梁３の下端部よりも下方に位置する。これにより、屋根体４の上面４ａを流れる水を、梁３が配置される部分を通過させずに、梁３よりも下方において、屋根体４の傾斜面に沿って流すように構成される。複数の凹状の屋根体側樋構造４０は、屋根体４を流通する水や水に流される汚れ（例えば、落ち葉など）を通過させて、屋根体４の前後方向において、水や水に流される汚れを、上流側から下流側に向けて流す。
【００３５】
ここで、以下の長尺形材４１の説明において、左右方向の区別が必要な場合には、図５〜図７等における右側を、一方側といい、図５〜図７等における左側を、他方側という。
【００３６】
屋根体４を構成する複数の長尺形材４１は、図５〜図７に示すように、左右方向に並んで配置され、一方側の端部に配置される一端部側樋構成形材４２と、他方側の端部に配置される他端部側樋構成形材４４と、左右方向において一端部側樋構成形材４２と他端部側樋構成形材４４との間に配置される複数の中間樋構成形材４３と、により構成される。複数の長尺形材４１は、それぞれ、梁３に接続される。
【００３７】
一端部側樋構成形材４２及び他端部側樋構成形材４４は、図５に示すように、複数の長尺形材４１のうち、複数の長尺形材４１が並ぶ方向の一方側の端部又は他方側の端部に配置される長尺形材であり、屋根体４において、複数の長尺形材４１が並ぶ方向の一方側の端部又は他方側の端部に並列に配置される。一端部側樋構成形材４２及び他端部側樋構成形材４４は、中空部を有さないソリッド状の部材により形成され、上部側が上方側に向けて開口する長尺形材により形成される。これにより、一端部側樋構成形材４２及び他端部側樋構成形材４４は、屋根体４の上面４ａから凹む凹状の屋根体端部側樋構造４０ａ，４０ｃとして構成される。屋根体端部側樋構造４０ａ，４０ｃは、長尺形材４１（一端部側樋構成形材４２及び他端部側樋構成形材４４）の長手方向に沿って延びて構成される。
【００３８】
また、複数の中間樋構成形材４３は、屋根体４の左右方向において、一端部側樋構成形材４２と他端部側樋構成形材４４との間に並んで配置される。複数の中間樋構成形材４３は、上方が開放したソリッド状の中段樋部４３４の中間ソリッド状樋構成部４３２と、中空状の中間樋構成形材４３の中間ホロー部４３１と、を有する形材により構成される。このように、中間樋構成形材４３は、一部に中空部を有するホロー構造を有する。そして、中間樋構成形材４３は、屋根体４の上面４ａから凹む凹状の屋根体中間樋構造４０ｂとして構成される。屋根体中間樋構造４０ｂは、長尺形材４１（複数の中間樋構成形材４３）の長手方向に延びて構成される。
【００３９】
図５に示すように、長尺形材４１における一端部側樋構成形材４２の左右方向の一方側の部分と梁３の延出板部３２とは、複数のネジ部材１０１のうちのネジ部材１０２で固定される。また、長尺形材４１における一端部側樋構成形材４２の左右方向の他方側の部分と梁３の延出板部３２とは、複数のネジ部材１０１のうちのネジ部材１０３で固定される。
長尺形材４１における中間樋構成形材４３の他方側の部分と梁３の延出板部３２とは、複数のネジ部材１０１のうちのネジ部材１０３で固定される。
長尺形材４１における一端部側樋構成形材４２の左右方向の他方側の部分と梁３の延出板部３２とは、複数のネジ部材１０１のうちのネジ部材１０４で固定される。
【００４０】
一端部側樋構成形材４２は、図６に示すように。屋根体４の左右方向の一方側に形成される上方に向けて開放したソリッド状の端部側ソリッド状樋構成部４２１と、屋根体４の左右方向の他方側に形成される他方側上部外方延出片４２７（接続される部分）と、屋根体４の左右方向の他方側に形成される他方側下部外方片４２８と、を有する。
【００４１】
端部側ソリッド状樋構成部４２１は、上方が開放する略Ｕ字形状の凹状の樋構成部本体４２２と、屋根体４の左右方向の一方側に配置される一方側上部内方延出片４２３（接続される部分）と、他方側上部内方延出片４２４と、水切りフィン４２５と、一方側端部壁４２６ａと、一方側上部壁４２６ｂと、を有する。
【００４２】
樋構成部本体４２２は、屋根体４の上面４ａにおいて支柱２側に流された水を、上方の開放された部分から導入して受け止める。樋構成部本体４２２の左右方向の一方側の側面には、一方側端部壁４２６ａが立設されている。
【００４３】
一方側上部内方延出片４２３は、図６に示すように、端部側ソリッド状樋構成部４２１の一方側において、端部側ソリッド状樋構成部４２１の一方側端部壁４２６ａの上端部から他方側に突出する。一方側上部内方延出片４２３の上面には、梁３の延出板部３２が配置される。梁３の延出板部３２及び一方側上部内方延出片４２３は、ネジ部材１０２により共締めされる。
【００４４】
他方側上部内方延出片４２４は、端部側ソリッド状樋構成部４２１の幅方向の一方側と反対側の他方側において、端部側ソリッド状樋構成部４２１の上端部から内側に突出する。他方側上部内方延出片４２４の一方側の端部には、下方に突出する引っ掛け突出片４２４ａが形成される。
【００４５】
一端部側樋構成形材４２を梁３に取り付ける場合には、一端部側樋構成形材４２の引っ掛け突出片４２４ａを、梁３の延出板部３２の下面に固定されたフック部１１０の立ち上がり板１１０ｄに引っ掛けることで、一端部側樋構成形材４２を、梁３の延出板部３２の下面に仮置きできる。また、一端部側樋構成形材４２の引っ掛け突出片４２４ａを梁３の延出板部３２の下面に固定されたフック部１１０の立ち上がり板１１０ｄに引っ掛けた状態で、引っ掛け突出片４２４ａを中心に一端部側樋構成形材４２を回転することで、一端部側樋構成形材４２を、取り付け位置に配置できる。
【００４６】
フック部１１０は、図６に示すように、梁３の延出板部３２の下面にネジ部材１０５により固定される取付板１１０ａと、取付板１１０ａの他方側の端部から下方に延びる上下方向延在板１１０ｂと、上下方向延在板１１０ｂの下端部から他方側に延びる底面板１１０ｃと、底面板１１０ｃの他方側の端部から立ち上がる立ち上がり板１１０ｄと、を有する。
【００４７】
一端部側樋構成形材４２の引っ掛け突出片４２４ａは、一端部側樋構成形材４２が梁３に固定された状態においては、フック部１１０の上方に配置される。これにより、一端部側樋構成形材４２が梁３に固定された状態において、一端部側樋構成形材４２を固定するネジ部材１０２，１０３が外れた場合においても、引っ掛け突出片４２４ａは、フック部１１０の立ち上がり板１１０ｄに引っ掛かって、一端部側樋構成形材４２の落下を抑制できる。
【００４８】
水切りフィン４２５は、樋構成部本体４２２における屋根体４の一方側において、樋構成部本体４２２の下端部から下方に突出する。水切りフィン４２５は、屋根体４の下面４ｂに回り込まないように、屋根体４の下方に落下させる。
【００４９】
一方側上部壁４２６ｂは、屋根体４の一方側の端部において、一方側端部壁４２６ａの上端部（屋根体４の上面４ａ）から立設して形成される。一方側上部壁４２６ｂは、屋根体４の一方側の端部において、水の飛び出しを低減する。
【００５０】
他方側上部外方延出片４２７は、樋構成部本体４２２における屋根体４の左右方向の他方側（図６における左側）の上端部から左右方向の他方側に向けて延出する。他方側上部外方延出片４２７は、一端部側樋構成形材４２の左右方向の他方側の端部の上端部に配置され、ネジ部材１０３により梁３の延出板部３２に固定される固定部（接続される部分）を構成する。他方側上部外方延出片４２７は、中間樋構成形材４３における引っ掛け係合部４２８ａの上方に形成される。
【００５１】
他方側上部外方延出片４２７における屋根体４の左右方向の他方側（図６における左側）の端部には、側方に延出する側方延出壁４２７ｂと、下方延出壁４２７ｃと、が形成される。
【００５２】
下方延出壁４２７ｃにおける屋根体４の左右方向の他方側の面には、隣接する中間樋構成形材４３の一方側の端部に取り付けられるビード材４０１（止水材）が押圧される。ビード材４０１は、一端部側樋構成形材４２と中間樋構成形材４３との連結部分に配置される止水部として機能する。ビード材４０１は、一端部側樋構成形材４２及び隣接する中間樋構成形材４３（長尺形材４１）の連結部分が延びる方向、即ち、長尺形材４１の長尺方向（長手方向）に沿って延びるように形成される。
【００５３】
他方側下部外方片４２８は、樋構成部本体４２２における屋根体４の左右方向の他方側の下端部から他方側に延出する。他方側下部外方片４２８における他方側の端部には、上方側に突出する引っ掛け係合部４２８ａが形成される。
【００５４】
引っ掛け係合部４２８ａは、図６に示すように、梁３に取り付けられた一端部側樋構成形材４２の左右方向の他方側の端部において、一端部側樋構成形材４２の下端部に形成される。引っ掛け係合部４２８ａは、梁３に取り付けられた一端部側樋構成形材４２の左右方向の他方側の端部において、一端部側樋構成形材４２の下端部に配置される他方側下部外方片４２８から上方に立ち上がると共に、立ち上がった上端部において長手方向に直交する幅方向に延びるＴ字状に形成される。
【００５５】
中間樋構成形材４３の引っ掛け係合部４２８ａは、隣接する中間樋構成形材４３の一方側の下端部の側面から一方側に突出する一方側下部突出片４３６と、隣接する中間樋構成形材４３の一方側の端部に形成される引っ掛け延出片４３５の引っ掛け片４３５ｂと、（後述）に係合可能である。
【００５６】
他方側下部外方片４２８の上面には、隣接する長尺形材４１の中間樋構成形材４３における中段樋構成部４１０（止水部）から溢れた水が流通する。他方側下部外方片４２８の上面は、屋根体４の内部において、上下方向の下段に位置する下段樋構成部４２０を構成する。下段樋構成部４２０は、水を流す樋機能を有すると共に、止水部として機能する。下段樋構成部４２０は、ビード材４０１を通過して中段樋構成部４１０に受け止められて中段樋構成部４１０（止水部）から溢れた水を受け止める。下段樋構成部４２０は、中段樋構成部４１０から溢れて受け止めた水を前後方向の両端部側に流通させる。
【００５７】
つまり、屋根体４は、隣接する長尺形材４１の連結部分において、図６に示すように、２段の樋構造を備えており、上段側に配置されると共に上段側で水を受け止める中段樋構成部４１０と、下段側に配置されると共に下段側で中段樋構成部４１０から溢れた水を受け止める下段樋構成部４２０と、を備えている。中段樋構成部４１０及び下段樋構成部４２０は、隣接する長尺形材４１の連結部分が延びる方向、即ち、長尺形材４１の長尺方向（長手方向）に沿って延びる。
【００５８】
一端部側樋構成形材４２は、図６に示すように、屋根体４の左右方向の一方側において、上方側から移動されるネジ部材１０２により、梁３の延出板部３２と共締めされる。
また、一端部側樋構成形材４２は、屋根体４の左右方向の他方側において、上方側から移動されるネジ部材１０３により、他方側上部外方延出片４２７は、梁３の延出板部３２と共締めされる。
【００５９】
中間樋構成形材４３は、図７に示すように、屋根体４の左右方向の一端側に配置される一端部側樋構成形材４２と他端側に配置される他端部側樋構成形材４４との間に複数並んで配置される。中間樋構成形材４３は、図７に示すように、一方側に配置される中間ホロー部４３１と、中間ホロー部４３１の左右方向の他方側に配置されるソリッド状の中間ソリッド状樋構成部４３２と、中間ホロー部４３１における一方側の上端部の側面に形成されるビード材取付凹部４３３と、中間ホロー部４３１の中間樋構成形材４３側の面において上下方向の略中央から中間樋構成形材４３側に延在するＬ字状の中段樋部４３４と、中段樋部４３４の一方側の端部の下端部から下方に延びるＬ字状の引っ掛け延出片４３５と、中間ホロー部４３１における中間樋構成形材４３側の下端部の側面から一方側に突出する一方側下部突出片４３６と、他方側上部外方延出片４３７（接続される部分）と、他方側下部外方片４３８と、を有する。
【００６０】
中段樋部４３４の一方側の端部の下方側には、図７に示すように、下方に開口（開放）する開口部４３９が形成される。開口部４３９は、中段樋部４３４における中間ホロー部４３１の一方側に配置される上下方向に延びる端辺４３１ａと、Ｌ字状の引っ掛け延出片４３５とにより形成される。開口部４３９の開口縁には、開口部４３９の開口縁から開口部４３９の内側に互いに対向して突出する対向突出部４３９ａが形成される。本実施形態においては、対向突出部４３９ａは、一方側下部突出片４３６と、Ｌ字状の引っ掛け延出片４３５の引っ掛け片４３５ｂ（後述）と、により構成され、互いが近づくように、開口部４３９の内側に向けて突出して延びる。
【００６１】
以上のように構成される一端部側樋構成形材４２及び中間樋構成形材４３においては、隣接する一端部側樋構成形材４２及び中間樋構成形材４３が連結した状態において、一端部側樋構成形材４２の引っ掛け係合部４２８ａは、隣接する中間樋構成形材４３の開口部４３９の内部に配置された状態で、上下方向の移動を規制するように、対向突出部４３９ａ（一方側下部突出片４３６、Ｌ字状の引っ掛け延出片４３５の引っ掛け片４３５ｂ）に引っ掛かって嵌合する。
【００６２】
ビード材取付凹部４３３は、一方側に隣接する一端部側樋構成形材４２の下方延出壁４２７ｃに対向して配置される。ビード材取付凹部４３３の上面４３３ａは、屋根体４の上面４ａから一段下がった位置に形成される。ビード材取付凹部４３３の上面４３３ａには、側方延出壁４２７ｂが配置される。つまり、側方延出壁４２７ｂは、ビード材取付凹部４３３の上面４３３ａの一部に重なって配置される。ビード材取付凹部４３３は、隣接する長尺形材４１の連結部分が延びる方向、即ち、長尺形材４１の長尺方向（長手方向）に沿って延びる。
【００６３】
ビード材取付凹部４３３には、ビード材４０１が取り付けられる。ビード材４０１は、ビード材取付凹部４３３に取り付けられた状態で、一方側に隣接する一端部側樋構成形材４２の下方延出壁４２７ｃを押圧する。ビード材４０１は、一端部側樋構成形材４２と中間樋構成形材４３との連結部分に配置され、止水部として機能する。
以上のように、ビード材取付凹部４３３の上面４３３ａの一部には、側方延出壁４２７ｂが重なって配置される。このため、ビード材４０１が外部に直接露出されないため、ビード材４０１の耐候性を向上でき、ビード材４０１の劣化を低減できる。
【００６４】
中段樋部４３４は、底壁部４３４ａと、立設片４３４ｂと、を有する。中段樋部４３４は、屋根体４の内部において、上下方向の中段に位置する中段樋構成部４１０を構成する。中段樋構成部４１０は、水を流す樋機能を有すると共に、止水部として機能する。中段樋構成部４１０は、ビード材４０１で止水できなかったビード材４０１を通過した水を受け止めて、受け止めた水を前後方向の両端部側に流通させる。
【００６５】
Ｌ字状の引っ掛け延出片４３５は、下方延出片４３５ａと、下方延出片４３５ａの下端部から中間形材４３の幅方向中央部に向かう引っ掛け片４３５ｂと、を有する。引っ掛け片４３５ｂは、隣接する一端部側樋構成形材４２の他方側の端部に形成される引っ掛け係合部４２８ａに係合可能である。引っ掛け片４３５ｂは、引っ掛け係合部４２８ａに係合した状態で、引っ掛け係合部４２８ａを中心に回転可能である。
【００６６】
一端部側樋構成形材４２の隣りに、隣接する中間樋構成形材４３を取り付ける場合には、梁３の延出板部３２が接続された一端部側樋構成形材４２の引っ掛け係合部４２８ａに、中間樋構成形材４３の引っ掛け延出片４３５を引っ掛けることで、梁３の下方において、中間樋構成形材４３を仮置きできる。また、一端部側樋構成形材４２の引っ掛け係合部４２８ａに中間樋構成形材４３の引っ掛け延出片４３５を引っ掛けた状態で、引っ掛け延出片４３５の先端を中心に中間樋構成形材４３を回転することで、中間樋構成形材４３を取り付け位置に配置できる。
中間樋構成形材４３を取り付け位置に配置した状態においては、一端部側樋構成形材４２における左右方向の他方側には、一端部側樋構成形材４２の引っ掛け係合部４２８ａに中間樋構成形材４３の引っ掛け延出片４３５が嵌合した状態で、中間樋構成形材４３が取り付けられる。
【００６７】
中間樋構成形材４３の他方側上部外方延出片４３７及び他方側下部外方片４３８については、説明しない点については、一端部側樋構成形材４２の他方側上部外方延出片４２７及び他方側下部外方片４２８の構造と同様である。そのため、中間樋構成形材４３の他方側上部外方延出片４３７及び他方側下部外方片４３８の構造については、図７において一端部側樋構成形材４２の構造に対応する符号を付して、その説明を省略する。
【００６８】
また、連続して配置される複数の中間樋構成形材４３の構成は全て同様の構成であるため、その説明を省略する。梁３に接続した中間樋構成形材４３の隣りに、隣接する中間樋構成形材４３を取り付ける場合には、一端部側樋構成形材４２の隣りに中間樋構成形材４３を取り付ける場合と同様に、梁３の延出板部３２に接続された中間樋構成形材４３の引っ掛け係合部４３８ａに、中間樋構成形材４３の引っ掛け延出片４３５を引っ掛けることで、梁３の下方において、中間樋構成形材４３を仮置きできる。また、中間樋構成形材４３の引っ掛け係合部４３８ａに中間樋構成形材４３の引っ掛け延出片４３５を引っ掛けた状態で、引っ掛け延出片４３５を中心に中間樋構成形材４３を回転することで、中間樋構成形材４３を取り付け位置に配置できる。隣接する中間樋構成形材４３を取り付け位置に配置した状態においては、中間樋構成形材４３における左右方向の他方側には、中間樋構成形材４３の引っ掛け係合部４３８ａに、隣接する中間樋構成形材４３の引っ掛け延出片４３５が嵌合した状態で、隣接する中間樋構成形材４３が取り付けられる。
【００６９】
屋根体４の左右方向の他方側の端部に配置される他端部側樋構成形材４４は、一方側の端部の構成が、中間樋構成形材４３の一方側の端部の構成と同様であり、一方側の端部以外の構成が、他方側の端部に配置される一端部側樋構成形材４２を左右反転した構成と同様である。そのため、屋根体４の左右方向の他方側の端部に配置される他端部側樋構成形材４４の説明を省略する。
【００７０】
以上のように構成される屋根体４は、図５〜図７に示すように、アルミ材料の押出し形材で形成された複数の長尺形材４１を連結して屋根体４を構成することで、複数の長尺形材４１を、屋根体４の面材として使用できると共に、屋根体４の強度を確保することができる。また、屋根体４を構成する複数の長尺形材４１を、複数の凹状の屋根体側樋構造４０により水を流すように構成すると共に、中間樋構成形材４３に中間ホロー部４３１を形成することで、屋根体４自体を強度部材として使用できる。これにより、屋根体４の強度を出すための部材を別に設ける必要がない。よって、屋根体４を構成する部材の部品点数を低減できる。また、中間樋構成形材４３の中間ホロー部４３１の一方側の面にビード材取付凹部４３３を設けたため、ビード材４０１を取り付ける部分の強度を確保できる。
【００７１】
また、屋根体端部側樋構造４０ａ，４０ｃ及び屋根体中間樋構造４０ｂは、上部側が開口して屋根体４の複数の凹状の屋根体側樋構造４０を構成しているため、屋根体４の下方から見た場合に、長尺形材４１のフラットな（平面状の）下面４ｂが見えるだけで、屋根体４の上面４ａ側に樋が存在することを認識させずに樋を構成できる。そのため、意匠性を向上できる。
【００７２】
屋根体上流側端部カバー部材８は、図１に示すように、屋根体４の前後方向の上流側の端部において、屋根体４の左右方向（長尺形材４１の長手方向に直交（交差）する方向）に延びて配置される。屋根体上流側端部カバー部材８は、屋根体４の前後方向の上流側の端部において、長尺形材４１の上流側の側部（端部）を覆うように配置される。
【００７３】
複数の屋根体下流側端部カバー部材９は、図８〜図１０に示すように、屋根体４における傾斜方向の下流側（前後方向の前側）の端部に配置されている。複数の屋根体下流側端部カバー部材９は、それぞれ、左右方向に離間して配置される中間樋構成形材４３の中間ホロー部４３１の下流側の端面を覆うように配置される。これにより、屋根体４を構成する複数の長尺形材４１の前側の端部において、中間樋構成形材４３における中間ホロー部４３１の開口した端面が外部に露出されない。
【００７４】
また、複数の屋根体下流側端部カバー部材９は、図９に示すように、それぞれ、上流側から下流側に向かうに従って下るように傾斜する遮蔽傾斜板９１と、遮蔽傾斜板９１の下端部と長尺形材４１の下端部との間に形成される下方開口部９２と、を有する。
【００７５】
下方開口部９２は、屋根体下流側端部カバー部材９の下端部において、下方を向いて形成される。下方開口部９２からは、長尺形材４１の内部を流通する水が下方に向けて排出される。複数の屋根体下流側端部カバー部材９の下方開口部９２の下方には、屋根体下流側樋構造４５（後述）が配置される。複数の屋根体下流側端部カバー部材９は、下方に向けて開口するため、中間樋構成形材４３の中間ホロー部４３１の内部を流れる水は、屋根体下流側樋構造４５に流入する。
【００７６】
また、複数の屋根体下流側端部カバー部材９において、遮蔽傾斜板９１の上端部が屋根体４の内側に位置し、かつ、遮蔽傾斜板９１は、上流側から下流側に向かうに従って下るように傾斜するため、屋根体４の他方側の端部側の下方の地面１１側からは視認しにくい形状である。よって、屋根体４の意匠性を向上できる。
【００７７】
屋根体下流側樋構造４５は、屋根体４を構成する複数の長尺形材４１の下流側（前後方向の前側）の端部の下方に配置され、複数の長尺形材４１の下流側端部の下部に固定される。屋根体下流側樋構造４５は、上方が開放した樋形状に形成され、屋根体４の左右方向の全域に亘って延びる。
【００７８】
屋根体下流側樋構造４５は、上方が開放した下流側樋本体４５１と、下流側樋本体４５１の上流側の上端部から下流側樋本体４５１の内側に略水平に延出する上流側内方延出片４５２と、下流側樋本体４５１の上流側の下端部の上流側に形成される上流側下部屈曲片４５３と、下流側樋本体４５１の下流側の上端部から下流側樋本体４５１の内側に略水平に延出する下流側内方延出片４５４と、下流側樋本体の下流側の上端部から上方に突出する下流側上方突出片４５５と、を有する。
【００７９】
屋根体下流側樋構造４５の上流側内方延出片４５２の上面には、複数の長尺形材４１の下流側の端部の下面が配置され、屋根体下流側樋構造４５の上流側内方延出片４５２は、図８及び図１０に示すように、複数の長尺形材４１の下流側の端部において、ネジ部材１０６により、複数の長尺形材４１の下面に固定される。屋根体下流側樋構造４５の上流側内方延出片４５２及び複数の長尺形材４１の下流側の端部は、図８に示すように、屋根体側樋構造４０の上方から移動されるネジ部材１０６により、共締めされて固定される。
【００８０】
ここで、図１０に示すように、屋根体４の長尺形材４１にネジ部材１０６が貫通するネジ孔４０２が形成されても、ネジ孔４０２の下方には、屋根体下流側樋構造４５が配置される。そのため、ネジ孔４０２からの水は、屋根体下流側樋構造４５に落下されて、屋根体下流側樋構造４５に受け止められる。これにより、屋根体４の下方への水の落下を抑制した状態で、屋根体下流側樋構造４５を屋根体４に取り付けることができる。
【００８１】
屋根体下流側樋構造４５には、屋根体４の上面４ａに形成された凹状の複数の屋根体側樋構造４０を流れた水と、屋根体４を構成する複数の長尺形材４１の内部から排出された水とが流入する。屋根体下流側樋構造４５の左右方向の両端部の下面には、図８に示すように、排出用開口４５ａが形成される。
【００８２】
一対の下方側傾斜樋構造４６は、図８に示すように、屋根体４における長尺形材４１が並ぶ方向の両端部において、屋根体４の下方に配置される。下方側傾斜樋構造４６は、導入部４６１と、傾斜樋部４６２と、接続誘導部４６３と、を有する。
【００８３】
導入部４６１は、筒状に形成され、屋根体４の前後方向において、前側が、上方に開放して形成され、屋根体下流側樋構造４５の左右方向の端部の下面の排出用開口４５ａに接続される。導入部４６１は、屋根体４の前後方向において、後側が、後側に開放して形成され、傾斜樋部４６２に接続される。
【００８４】
傾斜樋部４６２は、上方が開放した断面略Ｃ字形状に形成される。傾斜樋部４６２は、一端部が導入部４６１に接続され、一端部側樋構成形材４２又は他端部側樋構成形材４４の下方において、一端部側樋構成形材４２又は他端部側樋構成形材４４の長手方向に沿って、屋根体４の前後方向の前側から後側に延びる。傾斜樋部４６２は、屋根体４の前側から後側に向かうに従って下るように傾斜する。傾斜樋部４６２の下流側の端部には、接続誘導部４６３が接続される。
【００８５】
接続誘導部４６３は、屋根体４の後側に形成される後側開口４６３ａと、屋根体４の左右方向の外側に開口する側面開口４６３ｂと、を有する。接続誘導部４６３の後側開口４６３ａは、傾斜樋部４６２の下流側の端部が接続される。接続誘導部４６３の側面開口４６３ｂは、支柱２の側面に接続され、支柱２の内部に設けられた支柱側樋構成部２０（図５参照）に接続される。
【００８６】
次に、本実施形態のカーポート１における雨水の流れについて説明する。
図１に示すカーポート１において、屋根体４の上面４ａに降り注いだ雨水は、上面４ａに形成される長尺形材４１の長尺方向に延びる凹状の複数の屋根体側樋構造４０に沿って、屋根体４の傾斜方向の上流側から下流側（前後方向の後側から前側）に流れる。
【００８７】
屋根体４の上面４ａを前後方向の前側の下流側に流れる水は、屋根体４の上面４ａに形成される凹状の複数の屋根体側樋構造４０を通って、屋根体４の上面４ａの傾斜方向の下流側に流れて、梁３の下方を通過して、屋根体下流側樋構造４５に到達する。これにより、屋根体４を流通する水や水に流される汚れ（例えば、落ち葉など）を梁３の下方において複数の凹状の屋根体側樋構造４０に通過させて、屋根体４の傾斜方向において、水や水に流される汚れを、上流側から下流側に向けて流すことができる。これにより、排水性能を向上できる。
【００８８】
長尺形材４１の内部において、中段樋構成部４１０と下段樋構成部４２０とに導入された水は、屋根体４の前後方向の下流側の端部に向けて流れる。前後方向の下流側の端部に向けて流れた水は、下流側の端部において、複数の屋根体下流側端部カバー部材９の下部の下方開口部９２から、屋根体下流側樋構造４５に排出される。
【００８９】
屋根体下流側樋構造４５には、屋根体４の上面４ａを流れた水と、屋根体４を構成する複数の長尺形材４１の内部の樋構成部（中段樋構成部４１０及び下段樋構成部４２０）から排出された水と、が流入する。屋根体下流側樋構造４５の左右方向の一方側の端部の下面には、排出用開口４５ａ（図８参照）が形成される。
【００９０】
屋根体下流側樋構造４５に流入した水は、屋根体４の左右方向の両端部側に形成される排出用開口４５ａを介して、屋根体４における長尺形材４１が並ぶ方向の端部側において、屋根体４の下方に配置される下方側傾斜樋構造４６を介して、支柱２の内部に設けられた支柱側樋構成部２０（図５参照）に誘導される。支柱側樋構成部２０に流入した水は、支柱側樋構成部２０を落下して、支柱２の下方において、支柱２の外部に排出される。
【００９１】
以上のように構成される屋根構造体において、屋根体４の上面４ａには、複数の凹状の屋根体側樋構造４０が形成される。そのため、屋根体４の上面４ａを流通する水は、梁３よりも下方を通過して、屋根体４の傾斜方向の下流側（前後方向の前側）に向かって流れる。そのため、排水性能を向上できる。
【００９２】
また、屋根体４の上面４ａには、複数の凹状の屋根体側樋構造４０が設けられるため、梁３と屋根体４との間に吊り具などを介在させずに、梁３を屋根体４に直接接続できる。そのため、梁３と屋根体４とを密着させて配置することができる。これにより、屋根体４の上方の低い位置に梁３を設置できるため、下方から見た場合に梁３が大きく上方側に突出しておらず、屋根体４を含んだ屋根構造の厚さを薄く見せることができ、屋根構造をコンパクトに形成できる。よって、スマートなカーポート１を実現でき、意匠性を向上できる。
【００９３】
また、複数の長尺形材４１が並んで連設されることで屋根体４を構成しており、屋根体４の下面４ｂが平面状に形成されるため、屋根体４を下方から見た場合の意匠性を向上できる。
【００９４】
以上説明した本実施形態のカーポート１によれば、以下のような効果を奏する。
本実施形態のカーポート１は、支柱２と、支柱２に接続される梁３と、梁３に直接的に又は間接的に接続される屋根体４であって、所定方向に並んで連設される複数の長尺形材４１を有する屋根体４と、を備え、屋根体４は、下面４ｂが平面状に形成され、上面４ａの少なくとも一部に凹状の複数の屋根体側樋構造４０を有する。そのため、梁３と屋根体４の複数の凹状の屋根体側樋構造４０を備えるため、屋根体４を流通する水や水に流される汚れ（例えば、落ち葉など）を複数の凹状の複数の屋根体側樋構造４０に通過させて、屋根体４の傾斜方向の下流側に向けて流すことができる。これにより、排水性能を向上できる。また、屋根体４の下面４ｂが平面状に形成されることから、意匠性を向上できる。
【００９５】
また、本実施形態においては、屋根体４は、凹状の屋根体側樋構造４０を有する長尺形材４１を複数含んで構成されている。これにより、複数の長尺形材４１を連設するだけで、屋根体４の上面４ａに複数の屋根体側樋構造４０を形成できる。よって、簡易な構成で、排水性能を向上できる。
【００９６】
また、本実施形態においては、複数の中間樋構成形材４３が連結される部分では、屋根体４は、凹状の屋根体側樋構造４０と中空部が形成されたホロー構造とを有する中間樋構成形材４３を複数含んで構成されている。これにより、屋根体４の中間樋構成形材４３においては、屋根体側樋構造４０により水の流通を確保しつつ、ホロー構造により屋根体４の強度を確保できる。また、中間樋構成形材４３は、ホロー構造を有するため、形材として強度を有する。そのため、複数の中間樋構成形材４３を連結する際の施工性が良好であり、屋根体４を施工する際の施工性を向上できる。
【００９７】
また、本実施形態においては、屋根体４の上面４ａには、梁３に直接的に接続される部分（一端部側樋構成形材４２の一方側上部内方延出片４２３及び他方側上部外方延出片４２７，中間樋構成形材４３の他方側上部外方延出片４３７、他端部側樋構成形材４４の他方側上部内方延出片４４３）が設けられ、屋根体４は、梁３の下方において梁３に直接的に吊られて配置される。そのため、梁３と屋根体４とを密着させて配置することができる。これにより、屋根体４の上方の低い位置に梁３を設置できるため、下方から見た場合に梁３が大きく上方側に突出しておらず、屋根体４を含んだ屋根構造の厚さを薄く見せることができ、屋根構造をコンパクトに形成できる。よって、スマートなカーポート１を実現でき、より意匠性を向上できる。
【００９８】
また、本実施形態においては、屋根体４は、長尺形材４１の長手方向の一方側から他方側に向かうに従って下るように傾斜する。そのため、屋根体４は、複数の凹状の複数の屋根体側樋構造４０が延びる方向に傾斜する。これにより、屋根体４を流通する水や水に流される汚れ（例えば、落ち葉など）を、複数の凹状の複数の屋根体側樋構造４０を通過させて屋根体４の下流側に誘導しやすい。よって、排水性能を一層向上できる。
【００９９】
また、本実施形態においては、長尺形材４１は、アルミ材料の形材で形成され、少なくとも一部に中空部を有するホロー構造を備える。これにより、中空部を有するホロー構造の部分により、屋根体４の強度を確保できる。
【０１００】
以上、本発明のカーポート（屋根構造体）の好ましい一実施形態について説明したが、本発明は、上述した実施形態に制限されるものではなく、適宜変更が可能である。
例えば、前記実施形態においては、屋根体４を梁３の下方において梁３に直接的に接続（固定）して構成したが、これに限定されず、屋根体４を他の部材を介して間接的に梁に接続（固定）して構成してもよい。
【０１０１】
また、前記実施形態においては、屋根体４は、梁３に吊られて構成されていたが、これに限定されず、梁３の上方に配置される構成であってもよい。
【０１０２】
また、前記実施形態においては、屋根体側樋構造４０とホロー構造とを有する中間樋構成形材４３を複数連結することで屋根体４を構成しているが、これに限定されない。屋根体側樋構造４０とホロー構造とを別体で構成して、複数の屋根体側樋構造４０と複数のホロー構造とを連結することで屋根体４を構成してもよい。
【０１０３】
また、前記実施形態では、屋根体４の全ての長尺形材４１が、凹状の屋根体側樋構造４０を有しているが、これに限定されない。少なくとも一部に、凹状の屋根体側樋構造４０を有する長尺形材４１を複数含んで、屋根体４を構成してもよい。
また、前記実施形態では、屋根体４の全ての中間樋構成形材４３が、凹状の屋根体側樋構造４０とホロー構造とを有しているが、これに限定されない。少なくとも一部に、凹状の屋根体側樋構造４０とホロー構造とを有する長尺形材を複数含んで、屋根体４を構成してもよい。
【０１０４】
また、前記実施形態においては、屋根体側樋構造４０を有する長尺形材４１を複数連続して連結して屋根体４を構成しているが、これに限定されない。例えば、屋根体側樋構造４０を有する長尺形材４１の隣りに、屋根体側樋構造４０を有さない長尺形材４１を連結してもよい。例えば、屋根体側樋構造４０を有する長尺形材４１と有さない長尺形材４１とを混在させて連結して、屋根体４を構成してもよい。
【０１０５】
また、前記実施形態においては、屋根体４を前後方向において傾斜するように構成したが、これに限定されず、屋根体４を左右方向において傾斜するように構成してもよい。
【０１０６】
また、前記実施形態においては、カーポートを、屋根体４を左右方向の両側それぞれにおいて一対の支柱２で支持する、いわゆる、両支持構造のカーポートにより説明したが、これに限定されず、屋根体４を左右方向の一方の端部を支柱で支持する、いわゆる、片持ち構造のカーポートでもよい。
【符号の説明】
【０１０７】
１  カーポート（屋根構造体）
２  支柱（柱材）
３  梁
４  屋根体
４ａ  上面
４ｂ  下面
４０  屋根体側樋構造（樋構造）
４１  長尺材
４２３  一方側上部内方延出片（接続される部分）
４４３  他方側上部内方延出片（接続される部分）
４２７，４３７  他方側上部外方延出片（接続される部分）
【図１】
2019090170.tif 000003
【図２】
2019090170.tif 000004
【図３】
2019090170.tif 000005
【図４】
2019090170.tif 000006
【図５】
2019090170.tif 000007
【図６】
2019090170.tif 000008
【図７】
2019090170.tif 000009
【図８】
2019090170.tif 000010
【図９】
2019090170.tif 000011
【図１０】
2019090170.tif 000012